(57)【特許請求の範囲】
【請求項１】
外周に可撓性長尺物嵌合溝（１２）を有する第一の案内ローラ（１０）と、該第一の案内ローラ（１０）との間で可撓性長尺物（７）を挟持して案内する第二の案内ローラ（１１）と、これらの案内ローラ（１０，１１）の回転に拘わらず不動状態で位置し、該案内ローラ（１０，１１）同士の間への前記可撓性長尺物（７）の噛み込みを阻止する噛み込み防止手段（２５，２５）と、を備え、前記噛み込み防止手段（２５，２５）は、前記可撓性長尺物嵌合溝（１２）の内側面（３４，３４）に対面する傾斜周面（４０）と前記第二の案内ローラ（１１）の外端面（３２，３２）に対面する面（４１）とを有するくさび状に形成されるとともにそのくさび状先端部（２８ａ）が前記第二の案内ローラ（１１）の周方向に沿って延びる輪郭を有し、前記内側面（３４，３４）にも前記外端面（３２，３２）にも非接触の状態で前記内側面（３４，３４）と前記外端面（３２，３２）との間の隙間（Ｓ１）を塞ぐように前記可撓性長尺物（７）に向かって突入配置されている、可撓性長尺物案内装置。
【請求項２】
前記案内ローラ（１０，１１）同士の間への前記可撓性長尺物（７）の進入前の部位（７ａ）を前記案内ローラ（１０，１１）へと案内する案内部材（３５）を備えている、請求項１に記載の可撓性長尺物案内装置。
【請求項３】
前記噛み込み防止手段（２５）が、前記案内ローラ（１０，１１）の少なくともいずれか一方（１１）を支持するローラ支持部（２７ａ，３０）を一体に備えている、請求項１又は２に記載の可撓性長尺物案内装置。
【請求項４】
外周に可撓性長尺物嵌合溝（１２）を有する第一の案内ローラ（１０）と、該第一の案内ローラ（１１）との間で可撓性長尺物（７）を挟持して案内する第二の案内ローラ（１１）と、これらの案内ローラ（１０，１１）の少なくともいずれか一方（１１）を回転自在に支持するローラホルダ（２５，２５）と、を備え、該ローラホルダ（２５，２５）は、前記可撓性長尺物嵌合溝（１２）の内側面（３４，３４）に対面する傾斜周面（４０）と前記第二の案内ローラ（１１）の外端面（３２，３２）に対面する面（４１）とを有するくさび状に形成されるとともにそのくさび状先端部（２８ａ）が前記第二の案内ローラ（１１）の周方向に沿って延びる輪郭を有し、前記内側面（３４，３４）にも前記外端面（３２，３２）にも非接触の状態で前記内側面（３４，３４）と前記外端面（３２，３２）との間の隙間（Ｓ１）を塞ぐように前記可撓性長尺物（７）に向かって突入配置されている、可撓性長尺物案内装置。
【請求項５】
前記ローラホルダ（２５）が、前記一方の案内ローラ（１１）の前記外端面（３２）に臨む面（４１）に凹陥部（３１）を備えている、請求項４に記載の可撓性長尺物案内装置。
【請求項６】
外周に可撓性長尺物嵌合溝（１２）を有する第一の案内ローラ（１０）と、該第一の案内ローラ（１１）との間で可撓性長尺物（７）を挟持して案内する第二の案内ローラ（１１）と、の間への前記可撓性長尺物（７）の噛み込みを防止する噛み込み防止部材（２５）であって、前記案内ローラ（１０，１１）の近傍の固定部材（２０）への取付部（２７）と、該取付部（２７）による前記固定部材（２０）への取付状態において前記案内ローラ（１０，１１）の回転に拘わらず不動状態で位置し、該案内ローラ（１０，１１）同士の間への前記可撓性長尺物（７）の噛み込みを阻止する噛み込み阻止部（２８ａ）と、を備え、該噛み込み阻止部（２８ａ）は、前記可撓性長尺物嵌合溝（１２）の内側面（３４，３４）に対面する傾斜周面（４０）と前記第二の案内ローラ（１１）の外端面（３２，３２）に対面する面（４１）とによってくさび状に形成されるとともに前記第二の案内ローラ（１１）の周方向に沿って延びる輪郭を有し、前記内側面（３４，３４）にも前記外端面（３２，３２）にも非接触の状態で前記内側面（３４，３４）と前記外端面（３２，３２）との間の隙間（Ｓ１）を塞ぐように前記可撓性長尺物（７）に向かって突入配置される、噛み込み防止部材。
【請求項７】
前記案内ローラ（１０，１１）の少なくともいずれか一方（１１）を支持するローラ支持部（２７ａ，３０）を一体に備えている、請求項６に記載の噛み込み防止部材。
【請求項８】
外周に可撓性長尺物嵌合溝（１２）を有する第一の案内ローラ（１０）と、該第一の案内ローラ（１１）との間で可撓性長尺物（７）を挟持して案内する第二の案内ローラ（１１）と、の少なくともいずれか一方（１１）を支持するためのローラホルダ（２５）であって、前記案内ローラ（１０，１１）同士の間への前記可撓性長尺物（７）の噛み込みを阻止する噛み込み阻止部（２８ａ）を備え、該噛み込み阻止部（２８ａ）は、前記可撓性長尺物嵌合溝（１２）の内側面（３４，３４）に対面する傾斜周面（４０）と前記第二の案内ローラ（１１）の外端面（３２，３２）に対面する面（４１）とによってくさび状に形成されるとともに前記第二の案内ローラ（１１）の周方向に沿って延びる輪郭を有し、前記内側面（３４，３４）にも前記外端面（３２，３２）にも非接触の状態で前記内側面（３４，３４）と前記外端面（３２，３２）との間の隙間（Ｓ１）を塞ぐように前記可撓性長尺物（７）に向かって突入配置される、ローラホルダ。
【請求項９】
前記一方の案内ローラ（１１）の前記外端面（３２）に臨む面（４１）に凹陥部（３１）を備えている、請求項８に記載のローラホルダ。
【発明の詳細な説明】
【０００１】
【発明の属する技術分野】
本発明は、例えば、ホースやロープ等の可撓性長尺物を案内するための、可撓性長尺物案内装置に関するものである。本発明はまた、前記可撓性長尺物案内装置に用いて好適な、噛み込み防止部材およびローラホルダに関するものである。
【０００２】
【従来の技術】
例えば、農業用等の液体散布用ホースリール装置の一種として、ホースリールから繰り出される可撓性長尺物としてのホースを案内するホース案内装置を備えたものがある。該ホース案内装置は、その外周にホース嵌合溝を有する第一の案内ローラと、該第一の案内ローラとの間で前記ホースを挟持して案内する第二の案内ローラと、を備えている。前記ホースリールに巻き付けられている前記ホースの先端部側を散布作業者が引っ張るか、あるいは、前記一対の案内ローラの内の一方が動力駆動されるかすることにより、遊転する前記ホースリールから前記ホースが繰り出される。
【０００３】
【発明が解決しようとする課題】
しかしながら、前記従来のホース案内装置においては、前記ホースが弛んだり捩れたりした状態で前記案内ローラ間へと引き込まれた場合には、前記ホースを挟持した状態で互いに逆方向へと回転する前記案内ローラが、それら同士の間に前記ホースを斜めに噛み込んでしまうことがあった。このため、前記ホースが損傷したり、円滑な散布作業の妨げになる等の問題があった。
【０００４】
本発明は、このような事情に鑑みてなされたもので、相互間に可撓性長尺物を挟持して回転する一対の案内ローラを有する可撓性長尺物案内装置であって、前記可撓性長尺物の案内を確実に行うことができる装置を提供しようとするものである。
【０００５】
本発明はまた、相互間に可撓性長尺物を挟持して回転する一対の案内ローラ同士の間へ前記可撓性長尺物が斜めに噛み込まれてしまうことを効果的に防止し得る、噛み込み防止部材およびローラホルダを提供しようとするものである。
【０００６】
【課題を解決するための手段】
前記課題を解決するため、本発明に係る可撓性長尺物案内装置は、外周に可撓性長尺物嵌合溝を有する第一の案内ローラと、該第一の案内ローラとの間で可撓性長尺物を挟持して案内する第二の案内ローラと、これらの案内ローラの回転に拘わらず不動状態で位置し、該案内ローラ同士の間への前記可撓性長尺物の噛み込みを阻止する噛み込み防止手段と、を備え、前記噛み込み防止手段は、前記可撓性長尺物嵌合溝の内側面に対面する傾斜周面と前記第二の案内ローラの外端面に対面する面とを有するくさび状に形成されるとともにそのくさび状先端部が前記第二の案内ローラの周方向に沿って延びる輪郭を有し、前記内側面にも前記外端面にも非接触の状態で前記内側面と前記外端面との間の隙間を塞ぐように前記可撓性長尺物に向かって突入配置されていることを特徴としている（請求項１）。
【０００７】
前記可撓性長尺物案内装置において、操作者が、前記案内ローラ間から延び出した前記可撓性長尺物を引っ張ったり、あるいは、前記案内ローラのいずれか一方が動力駆動されたりすると、前記案内ローラは互いに逆方向に回転して、前記可撓性長尺物が案内・送出される。
【０００８】
ここで、例えば、前記可撓性長尺物が弛んだり捩れたりした状態で前記案内ローラ間へと引き込まれ、前記可撓性長尺物が前記案内ローラ同士の間へ斜めに噛み込まれそうになったとしても、前記案内ローラ同士の間の前記可撓性長尺物の長さ方向の側方の隙間には、前記噛み込み防止手段が位置しているので、噛み込まれそうになった前記可撓性長尺物が前記噛み込み防止手段で相対的に押し戻されて、前記案内ローラ同士の間への前記可撓性長尺物の噛み込みが阻止される。前記噛み込み防止手段は、前記案内ローラの回転にかかわらず不動状態（静止状態）で前記隙間に位置しているので、前記案内ローラ間への前記可撓性長尺物の噛み込みが効果的に防止され、該可撓性長尺物が確実に案内・送出される。特に、本発明では、前記噛み込み防止手段の形状及び配設位置が前記の如く特定されているので、前記案内ローラ間への前記可撓性長尺物の噛み込みが確実に防止される。
【００１２】
前記可撓性長尺物案内装置において、さらに、前記案内ローラ同士の間への前記可撓性長尺物の進入前の部位を前記案内ローラへと案内する案内部材を備えた構成とすることもできる（請求項２）。このようにすれば、前記可撓性長尺物が、前記案内部材で予め案内されながら、前記案内ローラ同士の間へと進入して行くので、前記可撓性長尺物の不都合な波打ち動作等が防止され、前記噛み込み防止手段による噛み込み阻止作用と相まって、前記可撓性長尺物の案内を一層円滑かつ確実に行うことができる。
【００１３】
本発明の実施の一形態として、前記噛み込み防止手段が、前記案内ローラの少なくともいずれか一方を支持するローラ支持部を一体に備えたものとすることもできる（請求項３）。このようにすれば、部品点数が減少するほか、コンパクトな構成となり、好適である。
【００１４】
本発明の他の実施の形態に係る可撓性長尺物案内装置は、外周に可撓性長尺物嵌合溝を有する第一の案内ローラと、該第一の案内ローラとの間で可撓性長尺物を挟持して案内する第二の案内ローラと、これらの案内ローラの少なくともいずれか一方を回転自在に支持するローラホルダと、を備え、該ローラホルダは、前記可撓性長尺物嵌合溝の内側面に対面する傾斜周面と前記第二の案内ローラの外端面に対面する面とを有するくさび状に形成されるとともにそのくさび状先端部が前記第二の案内ローラの周方向に沿って延びる輪郭を有し、前記内側面にも前記外端面にも非接触の状態で前記内側面と前記外端面との間の隙間を塞ぐように前記可撓性長尺物に向かって突入配置されていることを特徴としている（請求項４）。
【００１５】
好ましい実施の形態として、前記ローラホルダが、前記一方の案内ローラの前記外端面に凹陥部を備えたものとすることもできる（請求項５）。この場合、該凹陥部が、前記ローラホルダと前記一方の案内ローラとの間に溜まりやすい塵埃等の収容部として作用するので、前記一方の案内ローラの円滑な回転が妨げられることがなく、好適である。
【００１６】
本発明に係る噛み込み防止部材は、外周に可撓性長尺物嵌合溝を有する第一の案内ローラと、該第一の案内ローラとの間で可撓性長尺物を挟持して案内する第二の案内ローラと、の間への前記可撓性長尺物の噛み込みを防止する噛み込み防止部材であって、前記案内ローラの近傍の固定部材への取付部と、該取付部による前記固定部材への取付状態において前記案内ローラの回転に拘わらず不動状態で位置し、該案内ローラ同士の間への前記可撓性長尺物の噛み込みを阻止する噛み込み阻止部と、を備え、該噛み込み阻止部は、前記可撓性長尺物嵌合溝の内側面に対面する傾斜周面と前記第二の案内ローラの外端面に対面する面とによってくさび状に形成されるとともに前記第二の案内ローラの周方向に沿って延びる輪郭を有し、前記内側面にも前記外端面にも非接触の状態で前記内側面と前記外端面との間の隙間を塞ぐように前記可撓性長尺物に向かって突入配置されることを特徴としている（請求項６）。
【００１７】
前記噛み込み防止部材を、前記取付部によって前記固定部材へと取り付けると、前記噛み込み阻止部が、前記案内ローラ同士の間の前記可撓性長尺物の長さ方向の側方の隙間に位置する。
【００１８】
操作者が、前記案内ローラ間から延び出した前記可撓性長尺物を引っ張ったり、あるいは、前記案内ローラのいずれか一方が動力駆動されたりすると、前記案内ローラは互いに逆方向に回転して、前記可撓性長尺物が案内・送出される。
【００１９】
ここで、例えば、前記可撓性長尺物が弛んだり捩れたりした状態で前記案内ローラ間へと引き込まれたとしても、該案内ローラ同士の間の前記可撓性長尺物の長さ方向の側方の隙間には、前記噛み込み防止部材の前記噛み込み阻止部が位置しているので、前記案内ローラ同士の間へ前記可撓性長尺物が斜めに噛み込まれてしまうようなことはない。前記噛み込み阻止部は、前記案内ローラの回転にかかわらず不動状態で位置しているので、前記案内ローラ間への前記可撓性長尺物の噛み込みを効果的に防止することができる。特に、本発明では、前記噛み込み阻止部の形状及び配設位置が前記の如く特定されているので、前記案内ローラ間への前記可撓性長尺物の噛み込みが確実に防止される。
【００２３】
本発明の実施の一形態として、前記噛み込み防止部材が、前記案内ローラの少なくともいずれか一方を支持するローラ支持部を一体に備えたものとすることもできる（請求項７）。このようにすれば、部品点数が減少するほか、コンパクトな構成となり、好適である。
【００２４】
本発明に係るローラホルダは、外周に可撓性長尺物嵌合溝を有する第一の案内ローラと、該第一の案内ローラとの間で可撓性長尺物を挟持して案内する第二の案内ローラと、の少なくともいずれか一方を支持するためのローラホルダであって、前記案内ローラ同士の間への前記可撓性長尺物の噛み込みを阻止する噛み込み阻止部を備え、該噛み込み阻止部は、前記可撓性長尺物嵌合溝の内側面に対面する傾斜周面と前記第二の案内ローラの外端面に対面する面とによってくさび状に形成されるとともに前記第二の案内ローラの周方向に沿って延びる輪郭を有し、前記内側面にも前記外端面にも非接触の状態で前記内側面と前記外端面との間の隙間を塞ぐように前記可撓性長尺物に向かって突入配置されるものである（請求項８）。
【００２５】
前記ローラホルダにおいて、前記一方の案内ローラの前記外端面に臨む面に凹陥部を備えたものとすることもできる（請求項９）。この場合、該凹陥部が、前記ローラホルダと前記一方の案内ローラとの間に溜まりやすい塵埃等の収容部として作用するので、前記一方の案内ローラの円滑な回転が妨げられることがなく、好適である。
【００２６】
【発明の実施の形態】
以下、添付図面を参照して、本発明の好適な一実施の形態について説明する。
【００２７】
図１は、本発明の一実施の形態に係る可撓性長尺物案内装置を有する機械の一例としての、農薬散布作業等に用いられる、ホースリール装置を備えたセット動噴の概略構成を示す斜視図、図２は、前記可撓性長尺物案内装置、すなわち、ホース案内装置の側面図、図３は、図２のＩＩＩ矢視拡大一部断面図、図４は、図３中のローラホルダの拡大斜視図、図５は、図２のＶ矢視図である。
【００２８】
図１において、セット動噴１の機体フレーム２は、前後左右四つの車輪３，３，４，４で移動自在に支持されている。前記機体フレーム２上には、モーター又は内燃エンジン等の原動機５と、該原動機５によって駆動される高圧プランジャ式等のポンプ６と、可撓性長尺物としてのホース７を巻回する回転自在なホースリール８と、が搭載されている。図示しない噴霧液タンク内に貯留された防除液等の噴霧液は、前記ポンプ６の作動によって圧送され、前記ホースリール８から繰り出されて圃場に沿って引き延ばされた前記ホース７を通して、該ホース７の先端部に接続された図示しない噴霧ノズルから噴射される。
【００２９】
前記ホースリール８は、ホース巻き取り時には、前記原動機５によって駆動される一方、ホース繰り出し時には、前記原動機５からの動力伝達が断たれて遊転する。
【００３０】
前記ホース７の繰り出しは、本実施の形態に係る、ホース繰り出し装置を兼ねるホース案内装置９によって行われる。該ホース案内装置９は、図２および図３に示すように、相互間に前記ホース７を挟持して回転する一対の案内ローラ１０，１１を備えている。その一方の第一の案内ローラ１０は、その外周にホース嵌合溝１２を有し、他方の第二の案内ローラ１１は、前記第一の案内ローラ１０との間で前記ホース７を軽く押しつぶして挟持している。
【００３１】
本実施の形態では、ホース繰り出し時には、前記第一の案内ローラ１０が、電動モータ１３を駆動源として正転方向（図２で見て左回り方向）へと回転駆動される。これにより、前記案内ローラ１０，１１同士の間で挟持された前記ホース７が、図２で見て左方へと繰り出される。一方、前記第一の案内ローラ１０は、ホース巻き取り時には、前記ホースリール８のホース巻き取り方向への回転駆動による前記ホース７の引き込み移動にしたがって、逆転方向（図２で見て右回り方向）へと遊転する。
【００３２】
前記第二の案内ローラ１１は、正逆両方向へ遊転自在であり、前記第一の案内ローラ１０との間に前記ホース７を挟んで、該ホース７の長さ方向への移動にしたがって、前記第一の案内ローラ１０とは逆方向に遊転して、前記ホース７の繰り出し及び巻き取りを案内する。
【００３３】
前記一対の案内ローラ１０，１１の協働によって、遊転する前記ホースリール８から順次繰り出される前記ホース７は、ホース繰り出し方向へ向かって延びるホース案内筒１４（図１および図２参照）を通って延び出し、作業者により目的地へと引き延ばされる。
【００３４】
図１に示すように、前記セット動噴１は、それ自体周知の構成のトラバース装置１５を備えている。該トラバース装置１５は、前記ホース７の繰り出し時および巻き取り時に、前記一対の案内ローラ１０，１１を、それらの相対位置を一定に保ったままで、前記ホースリール８の回転速度に同期して、その巻き幅に沿って前記機体フレームの左右方向へと往復移動せしめる。したがって、前記トラバース装置１５の作用によって、ホース巻き取り時には、前記ホース７を、前記ホースリール８の巻き幅内に整列せしめて巻き取ることができ、ホース繰り出し時には、前記ホース７を円滑に繰り出すことができる。
【００３５】
前記一対の案内ローラ１０，１１は、前記トラバース装置１５を構成する往復移動台１６上に、左右一対のローラ支持部材１７，１８を介して支持されている。該一対のローラ支持部材１７，１８は、前記ホース７を前記セット動噴１からどの方向へも引き出すことができるように、前記往復移動台１６上で、縦軸Ｘを中心として水平回動自在とされている。
【００３６】
図２および図３に示すように、前記ホース案内装置９の前記一対の案内ローラ１０，１１は、前記一対のローラ支持部材１７，１８間に、そのそれぞれのローラ支軸１９，２０を水平にして、且つ、前記第二の案内ローラ１１が前記第一の案内ローラ１０の上に位置するように上下方向に並べて、支持されている。前記第一の案内ローラ１０の前記ローラ支軸１９は、前記一対のローラ支持部材１７，１８に回転自在に支持された前記ホース繰り出しモータ１３の出力軸２１に一体的に取着されている。
【００３７】
前記一対の案内ローラ１０，１１間の上下方向の間隔は、調整自在とされている。すなわち、図２に示すように、前記一対のローラ支持部材１７，１８のそれぞれの上端部には、上下方向に延びる長孔２２が形成され、前記第二の案内ローラ１１の前記ローラ支軸２０が、前記長孔２２に挿通されてねじ止めされている。このため、該長孔２２内における前記第二ローラ支軸２０の上下位置を変更することにより、前記ホース案内装置９は、異なる外径を有する複数種類のホースについて使用することができる。
【００３８】
図３に示すように、本実施の形態では、前記第一の案内ローラ１０が、前記第二の案内ローラ１１より大径のものであり、その外周の前記ホース嵌合溝１２は、前記ホース７の外径より大きな幅の開口幅Ｗを有するとともに、前記ホース７の外径Ｄより大きな深さＨを有している。
【００３９】
一方、前記第二の案内ローラ１１は、円筒状の外周を有するものであり、前記第一の案内ローラ１０の前記ホース嵌合溝１２の前記開口幅Ｗより狭い幅ｗを有している。前記第二の案内ローラ１１は、その外周面の下部を前記第一の案内ローラ１０の前記ホース嵌合溝１２内に位置させて、且つ、該ホース嵌合溝１２の幅方向の中央位置で、前記ホース７の径方向の中央に当接している。本実施の形態では、前記第二の案内ローラ１１として、ラジアル玉軸受を採用している。
【００４０】
前記第二の案内ローラ１１は、左右一対のローラホルダ２５，２５で回転自在に支持されている。該一対のローラホルダ２５，２５は、互いに同一構成のものであり、その中心孔２６に前記第二ローラ支軸２０を挿通されて、前記一対のローラ支持部材１７，１８間に挟まれることにより、回転不能に保持されている。
【００４１】
前記各ローラホルダ２５は、図３および図４に示すように、固定部材である前記第二ローラ支軸２０への取付部となる中空の円筒状部２７を備えている。該円筒状部２７の前記中心孔２６には、通しボルト状の前記第二ローラ支軸２０が挿通される。前記円筒状部２７の長さ方向のほぼ中央部の外周には、フランジ部２８が形成されている。該フランジ部２８は、傾斜周面４０と底面４１とからなる円錐状の表面を有していて、その外径は、前記第二の案内ローラ１１の外径とほぼ同一とされている。
【００４２】
円錐状の前記フランジ部２８の前記底面４１は、前記一対のローラホルダ２５，２５による前記第二の案内ローラ１１の保持状態において、該第二の案内ローラ１１の幅方向の端面（外端面）３２，３２に臨む面となる。また、前記フランジ部２８の前記底面４１側の前記円筒状部２７の一端部２７ａは、前記第二の案内ローラ１１の内輪１１ａが圧入状に嵌挿される内輪嵌挿部となる。該内輪嵌挿部２７ａは、前記内輪１１ａの横幅寸法の半分より短く形成されている。前記フランジ部２８の前記底面４１の前記内輪１１ａに対応する位置には、ローラ挟持用突部３０が形成されている。前記ローラホルダ２５において、前記内輪嵌挿部２７ａと、前記ローラ挟持用突部３０とが、前記第二の案内ローラ１１を位置決め支持するローラ支持部として作用する。
【００４３】
なお、本実施の形態では、円錐状の前記フランジ部２８は、前記底面４１に、肉抜き状の凹陥部３１を複数備えている。該凹陥部３１は、図３に示すように、前記一対のローラホルダ２５，２５による前記第二の案内ローラ１１の保持状態において、該第二の案内ローラ１１の幅方向の前記端面３２，３２に臨むことになる。
【００４４】
前記各ローラホルダ２５は、金属やプラスチック等、適宜の材料を用いて作製することができる。
【００４５】
前記のように構成される二つの前記ローラホルダ２５，２５は、図３に示すように、前記第二の案内ローラ１１の前記内輪１１ａ内に、その左右幅方向の外方向から前記内輪嵌挿部２７ａを嵌め込んで、前記ローラ挟持用突部３０同士の間で前記内輪１１ａの端面を挟持することにより、前記第二の案内ローラ１１を保持する。
【００４６】
以上のようにして前記一対のローラホルダ２５，２５間に前記第二の案内ローラ１１を保持させた状態で、前記一対のローラ支持部材１７，１８間に前記一対のローラホルダ２５，２５を配置し、前記長孔２２から前記第二ローラ支軸２０を挿通して、その先端部にナット３３を締めつける。この取付状態において、前記第二の案内ローラ１１の外輪１１ｂは、前記内輪１１ａの回りで、正逆いずれの方向へも滑らかに回転自在となっている。一方、前記内輪１１ａは、前記一対のローラホルダ２５，２５間に挟持されて、また、該一対のローラホルダ２５，２５は、前記一対のローラ支持部材１７，１８間に挟持されて、それぞれ回転不能に保持されている。
【００４７】
前記第二の案内ローラ１１の前記取付状態において、前記一対のローラホルダ２５，２５のそれぞれの前記フランジ部２８の少なくとも一部（下部）２８ａは、前記第二の案内ローラ１１に隣接してその周方向に沿って延びていて、前記一対の案内ローラ１０，１１同士の間の前記ホース７の長さ方向の左右両側方の隙間Ｓ１，Ｓ１のそれぞれに対応して位置する。具体的には、前記フランジ部２８の前記下部２８ａが、前記第一の案内ローラ１０の前記ホース嵌合溝１２の内側面３４と、前記第二の案内ローラ１１の幅方向の前記端面３２と、の間の前記隙間Ｓ１を塞ぐように位置する。しかも、前記フランジ部２８の前記下部２８ａは、前記一対のローラ１０，１１のホース繰り出し回転にかかわらず静止している。このため、前記第一の案内ローラ１０から前記ホース７が離脱して、前記一対の案内ローラ間、すなわち、前記第一の案内ローラ１０の前記ホース嵌合溝１２の縁と、前記第二の案内ローラ１１と、の間に、前記ホース７が斜めに噛み込まれてしまう等の不都合が効果的に防止される。
【００４８】
すなわち、前記ホース７の繰り出し時に、前記ホース７が、弛んだり捩れたりした状態で前記ホースリール８から前記案内ローラ１０，１１間へと引き込まれ、前記第一の案内ローラ１０の前記ホース嵌合溝１２から斜めに外れそうになると、前記ローラホルダ２５の前記フランジ部２８の前記下部２８ａが、相対的に前記ホース７を前記第一の案内ローラ１０の前記ホース嵌合溝１２内へと押し戻して、該ホース７の離脱を阻止する。したがって、前記フランジ部２８の前記下部２８ａは、ホース離脱阻止部またはホース噛み込み阻止部として作用する。したがってまた、前記ホース離脱阻止部またはホース噛み込み阻止部２８ａを有する前記ローラホルダ２５，２５は、ホース離脱防止手段（ホース離脱防止部材）またはホース噛み込み防止手段（ホース噛み込み防止部材）として作用する。
【００４９】
本実施の形態では、前記フランジ部２８が、前記一対の案内ローラ１０，１１間の前記隙間Ｓ１に対応した形状を有している。具体的には、前記フランジ部２８の前記下部２８ａが、前記第一の案内ローラ１０の前記ホース嵌合溝１２の前記側面３４と、前記第二の案内ローラ１１の幅方向の前記端面３２と、のそれぞれに実質的に平行に対向する外表面または輪郭４０，４１を備えた、くさび状に形成されている。このため、くさび状先端部と言える前記フランジ部２８の前記下部２８ａを、前記第一の案内ローラ１０に接触させることなく、前記隙間Ｓ１のできるだけ前記ホース嵌合溝１２内の深い位置へと突入した状態で配置させることが可能となる。よって、前記第一の案内ローラ１０からの前記ホース７の脱線、または前記案内ローラ１０，１１間への前記ホース７の噛み込みを、一層確実に防止できる利点がある。
【００５０】
好ましくは、前記構成に加えて、図２および図５に示すように、前記案内ローラ１０，１１同士の間への前記ホース７の進入前の部位７ａを前記第一の案内ローラ１０へと案内する案内部材３５を設ける。このようにすれば、該案内部材３５で前記ホース７が予め案内されることにより、該ホース７の不都合な波打ち動作等が規制され、該ホース７が前記案内ローラ１０，１１同士の間へと常に所定の姿勢で進入して行くので、前記ローラホルダ２５，２５によるホース離脱阻止作用またはホース噛み込み阻止作用と相まって、前記一対の案内ローラ１０，１１による前記ホース７の案内を一層円滑かつ確実に行うことができる。
【００５１】
なお、本実施の形態では、図５に示すように、前記案内部材として、上から見てＵ字状の腕３５を用いている。該Ｕ字状腕３５は、図２に示すように、その二つの端部３５ｅ，３５ｅを前記左右一対のローラ支持部材１７，１８に取着され、前記ホース７を取り囲んで、該ホース７を前記第一の案内ローラ１０の前記ホース案内溝１２へと真っ直ぐに案内する。
【００５２】
既に述べたように、本実施の形態では、前記各ローラホルダ２５，２５に前記ホース離脱阻止部またはホース噛み込み阻止部２８ａ，２８ａを一体に形成している。また、前記ホース離脱防止手段またはホース噛み込み防止手段（前記ローラホルダ）２５が、前記第二の案内ローラ１１を支持する前記ローラ支持部（前記内輪嵌挿部２７ａおよび前記ローラ挟持用突部３０）を一体に備えている。このため、部品点数が減少するほか、コンパクトな構成となり、好適である。
【００５３】
さらに、本実施の形態では、前記各ローラホルダ２５，２５の円錐状の前記フランジ部２８の前記底面４１に、前記凹陥部３１が設けられている。図３に示すように、前記凹陥部３１は、前記一対のローラホルダ２５，２５による前記第二の案内ローラ１１の保持状態において、該第二の案内ローラ１１の幅方向の前記端面３２，３２に臨んでいるので、泥やごみ等の収容部として作用する。
【００５４】
すなわち、前記第二の案内ローラ１１の前記端面３２，３２と、前記各ローラホルダ２５，２５と、の間には、前記第二の案内ローラ１１の前記外輪１１ｂの自由な回動を保証するために、僅かながら隙間Ｓ２がある。この隙間Ｓ２には、案内されるホース７の表面に付着していた泥やごみが入り込みやすい。しかし、本実施の形態のもののように、前記各ローラホルダ２５，２５に前記凹陥部３１を設けておけば、前記隙間Ｓ２に入り込んだ泥等が前記凹陥部３１に収容されるので、前記第二の案内ローラ１１と前記ローラホルダ２５，２５との間に泥が詰まって、前記第二の案内ローラ１１が円滑に回転しなくなる等の不都合を回避することができる。
【００５５】
なお、前記凹陥部３１に収容された泥は、前記第二の案内ローラ１１の回転や振動により、前記隙間Ｓ２から自然に落下して排出されるが、必要であれば、除去作業を行うようにしても良い。
【００５６】
また、前記凹陥部３１からの前記泥の自然排出効率を高めるために、前記凹陥部３１を、前記各ローラホルダ２５，２５の円錐状の前記フランジ部２８の前記傾斜周面４１へと貫通形成することもできる。
【図面の簡単な説明】
【図１】  本発明の一実施の形態に係る可撓性長尺物案内装置を有する機械の一例としての、ホースリール装置を備えたセット動噴の概略構成を示す斜視図である。
【図２】  図１中のホース案内装置の側面図である。
【図３】  図２のＩＩＩ矢視拡大一部断面図である。
【図４】  図３中のローラホルダの拡大斜視図である。
【図５】  図２のＶ矢視図である。
【符号の説明】
７    可撓性長尺物（ホース）
７ａ  ホースの案内ローラ間への進入前の部位
１０  第一の案内ローラ
１１  第二の案内ローラ
１２  可撓性長尺物嵌合溝（ホース嵌合溝）
２０  固定部材（第二ローラ支軸）
２５  噛み込み防止手段、噛み込み防止部材（ローラホルダ）
２７  取付部（円筒状部）
２７ａ  ローラ支持部（内輪嵌挿部）
２８ａ  噛み込み阻止部（フランジ部の下部、くさび状先端部）
３０    ローラ支持部（ローラ挟持用突部）
３１  凹陥部
３２  第二の案内ローラの端面（外端面）
３４  ホース嵌合溝の側面（内側面）
３５  案内部材（Ｕ字状腕）
４０  噛み込み防止手段の外表面（円錐状のフランジ部の傾斜周面）
４１  噛み込み防止手段の外表面（円錐状のフランジ部の底面）
Ｓ１  隙間
【図１】
0004127761.tif 000002
【図２】
0004127761.tif 000003
【図３】
0004127761.tif 000004
【図４】
0004127761.tif 000005
【図５】
0004127761.tif 000006